【手続補正書】
【提出日】平成24年8月23日(2012.8.23)
【手続補正１】
【補正対象書類名】特許請求の範囲
【補正対象項目名】全文
【補正方法】変更
【補正の内容】
【特許請求の範囲】
【請求項１】
歯冠用の少なくとも１つの歯科修復物を設計するためのシステムであって、該システムは、コンピュータモニタなどのディスプレイを有し、
該歯科修復物の３次元モデルおよび／または３次元歯科モデルを取得し、表示するための手段であって、該歯科修復物は、適合されなければならない、手段、
該歯科修復物の該３次元モデルにおいて複数の制御点を表示するための手段であって、該制御点のそれぞれは、該歯科修復モデルを手動でカスタマイズするための手段を提供する、手段、ならびに、
該制御点のうちの少なくとも１つにおいて矢印を表示するための手段であって、該矢印の長さは、ユーザ規定値によって決定され、該歯科修復モデルと隣接する物体との間の距離は、測定され得るかまたは指示され得る、手段、および／または、
該制御点のうちの少なくとも１つにおいてグリッドを表示するための手段であって、該グリッドの大きさは、ユーザ規定値によって決定され、該歯科修復モデルと隣接する物体との間の距離は、測定され得るかまたは指示され得る、手段と
を備える、システム。
【請求項２】
前記歯科修復物は、インプラントアバットメントであり、前記歯科修復モデルは、インプラントアバットメントモデルである、請求項１に記載のシステム。
【請求項３】
前記歯科修復物は、コーピングであり、前記歯科修復モデルは、コーピングモデルである、請求項１に記載のシステム。
【請求項４】
前記歯科修復物は、歯冠であり、前記歯科修復モデルは、歯冠モデルである、請求項１に記載のシステム。
【請求項５】
制御点は、前記制御点から１０画素の距離内などの該制御点の近くにマウスカーソルを移動させることによって作動される、請求項１〜４のうちのいずれかに記載のシステム。
【請求項６】
制御点の矢印または制御点のグリッドは、該制御点が作動されるときにのみ表示される、請求項１〜５のうちのいずれかに記載のシステム。
【請求項７】
矢印の長さまたはグリッドの大きさは、マウススクロールホイールを用いて調整されるなどの制御点が作動されるときにユーザによって調整され得る、請求項１〜６のうちのいずれかに記載のシステム。
【請求項８】
少なくとも１つの制御点の機能性は可変である、請求項１〜７のうちのいずれかに記載のシステム。
【請求項９】
少なくとも１つの制御点の機能性は、前記歯科修復モデルの配向に依存している、請求項１〜８のうちのいずれかに記載のシステム。
【請求項１０】
前記歯科モデルの少なくとも一部の視認／表示は、配向に依存する、請求項１〜９のうちのいずれかに記載のシステム。
【請求項１１】
前記歯科モデルの少なくとも一部は、該歯科モデルの該一部が、前記ユーザと前記歯科修復モデルとの間にあるときに不可視であり、該歯科修復モデルは、該ユーザにとって視認可能およびアクセス可能である、請求項１〜１０のうちのいずれかに記載のシステム。
【請求項１２】
前記制御点は、前記マウスカーソルが前記歯科修復モデルから１０画素の距離以内にあるときにのみ可視的である、請求項１〜１１のうちのいずれかに記載のシステム。
【請求項１３】
少なくとも２つの歯科修復モデルは、同時に示され、前記マウスカーソルに最も近い前記歯科修復モデルの前記制御点のみが、可視的である、請求項１〜１２のうちのいずれかに記載のシステム。
【請求項１４】
前記制御点は、好ましくは、前記歯科修復モデルの端に位置付けられる、請求項１〜１３のうちのいずれかに記載のシステム。
【請求項１５】
コンピュータモニタ等のディスプレイであるディスプレイにおいて少なくとも１つの歯科修復物を設計するための方法であって、
該方法は、
該歯科修復物の３次元モデルおよび／または３次元歯科モデルを取得し、表示するステップであって、該歯科修復物は、適合されなければならない、ステップ、
該歯科修復物の該３次元モデルにおいて複数の制御点を表示するステップであって、該制御点は、好ましくは、該歯科修復モデルの端に位置付けられ、該制御点のそれぞれは、該歯科修復モデルを手動でカスタマイズするための手段を提供する、ステップ、ならびに、
該制御点のうちの少なくとも１つにおいて矢印を表示するステップであって、該矢印の長さは、ユーザ規定値によって決定され、該歯科修復モデルと隣接する物体との間の距離は、測定または指示することができる、ステップ、および／または、
該制御点のうちの少なくとも１つにおいてグリッドを表示するステップであって、該グリッドの大きさは、ユーザ規定値によって決定され、隣接する物体への距離は、指示され得る、ステップと
を含む、方法。
【請求項１６】
コンピュータ読み取り可能な媒体を有するコンピュータプログラム製品であって、該コンピュータプログラム製品は、少なくとも１つの歯科修復物を設計するためのシステムを提供し、該コンピュータプログラム製品は、請求項１５に記載の方法のステップを実行するための手段を含む、コンピュータプログラム製品。
【手続補正２】
【補正対象書類名】明細書
【補正対象項目名】００１６
【補正方法】変更
【補正の内容】
【００１６】
好ましくは、矢印および／またはグリッドは、歯科修復モデルの端に位置付けられ、好ましくは、隣接する物体の方向を指す。必然的に、矢印および／またはグリッドはまた、隣接する物体（歯科モデル等）に隣接して、好ましくは、その端で、表示され得る。
本発明は、例えば、以下を提供する。
（項目１）
歯冠用の少なくとも１つの歯科修復物を設計するためのシステムであって、該システムは、コンピュータモニタなどのディスプレイを有し、
該歯科修復物の３次元モデルおよび／または３次元歯科モデルを取得し、表示するための手段であって、該歯科修復物は、適合されなければならない、手段、
該歯科修復物の該３次元モデルにおいて複数の制御点を表示するための手段であって、該制御点は、好ましくは、該歯科修復モデルの端に位置付けられ、該制御点のそれぞれは、該歯科修復モデルを手動でカスタマイズするための手段を提供する、手段、
該制御点のうちの少なくとも１つにおいて矢印を表示するための手段であって、該矢印の長さは、ユーザ規定値によって決定され、該歯科修復モデルと隣接する物体との間の距離は、測定され得るかまたは指示され得る、手段、および／または、
該制御点のうちの少なくとも１つにおいてグリッドを表示するための手段であって、該グリッドの大きさは、ユーザ規定値によって決定され、該歯科修復モデルと隣接する物体との間の距離は、測定され得るかまたは指示され得る、手段と
を備える、システム。
（項目２）
上記歯科修復物は、インプラントアバットメントであり、上記歯科修復モデルは、インプラントアバットメントモデルである、項目１に記載のシステム。
（項目３）
上記歯科修復物は、コーピングであり、上記歯科修復モデルは、コーピングモデルである、項目１に記載のシステム。
（項目４）
上記歯科修復物は、歯冠であり、上記歯科修復モデルは、歯冠モデルである、項目１に記載のシステム。
（項目５）
制御点は、上記制御点から１０画素の距離内などの該制御点の近くにマウスカーソルを移動させることによって作動される、項目１〜４のうちのいずれかに記載のシステム。
（項目６）
制御点の矢印または制御点のグリッドは、該制御点が作動されるときにのみ表示される、項目１〜５のうちのいずれかに記載のシステム。
（項目７）
矢印の長さまたはグリッドの大きさは、マウススクロールホイールを用いて調整されるなどの制御点が作動されるときにユーザによって調整され得る、項目１〜６のうちのいずれかに記載のシステム。
（項目８）
少なくとも１つの制御点の機能性は可変である、項目１〜７のうちのいずれかに記載のシステム。
（項目９）
少なくとも１つの制御点の機能性は、上記制御点が作動されるときに、ユーザによって変更され得る、項目１〜８のうちのいずれかに記載のシステム。
（項目１０）
少なくとも１つの制御点の機能性は、制御点が作動されるときに、マウスボタンのクイッククリックによって変更され得、クイッククリックは、６００ミリ秒以内等、５００ミリ秒以内等、４００ミリ秒以内等、３００ミリ秒以内等、２００ミリ秒以内等、１００ミリ秒以内等、５０ミリ秒以内等の、８００ミリ秒以内に実行されるマウスボタンクリック等の、マウスボタンの単一作動である、項目１〜９のうちのいずれかに記載のシステム。
（項目１１）
少なくとも１つの制御点の機能性は、上記歯科修復モデルの配向に依存している、項目１〜１０のうちのいずれかに記載のシステム。
（項目１２）
上記歯科モデルの少なくとも一部の視認／表示は、配向依存性である、項目１〜１１のうちのいずれかに記載のシステム。
（項目１３）
上記歯科モデルの少なくとも一部は、該歯科モデルの該一部が、上記ユーザと上記歯科修復モデルとの間にあるときに不可視であって、該歯科修復モデルは、該ユーザにとって視認可能およびアクセス可能である、項目１〜１２のうちのいずれかに記載のシステム。
（項目１４）
上記制御点は、上記マウスカーソルが上記歯科修復モデルから１０画素の距離以内にあるときにのみ可視的である、項目１〜１３のうちのいずれかに記載のシステム。
（項目１５）
少なくとも２つの歯科修復モデルは、同時に示され、上記マウスカーソルに最も近い上記歯科修復モデルの上記制御点のみが、可視的である、項目１〜１４のうちのいずれかに記載のシステム。
（項目１６）
上記歯科モデルの透明度は、上記マウスカーソルが咬合モデル表面の下の制御点に近いときに増大させられ、該制御点および上記歯科修復モデルは、該歯科モデルを通して見ることができる、項目１〜１５のうちのいずれかに記載のシステム。
（項目１７）
コンピュータモニタ等のディスプレイであるディスプレイにおいて少なくとも１つの歯科修復物を設計するための方法であって、
該歯科修復物の３次元モデルおよび／または３次元歯科モデルを取得し、表示するステップであって、該歯科修復物は、適合されなければならない、ステップ、
該歯科修復物の該３次元モデルにおいて複数の制御点を表示するステップであって、該制御点は、好ましくは、該歯科修復モデルの端に位置付けられ、該制御点のそれぞれは、該歯科修復モデルを手動でカスタマイズするための手段を提供する、ステップ、
該制御点のうちの少なくとも１つにおいて矢印を表示するステップであって、該矢印の長さは、ユーザ規定値によって決定され、該歯科修復モデルと隣接する物体との間の距離は、測定または指示することができる、ステップ、および／または、
該制御点のうちの少なくとも１つにおいてグリッドを表示するステップであって、該グリッドの大きさは、ユーザ規定値によって決定され、該歯科修復モデルと隣接する物体との間の距離は、測定され得るかまたは指示され得る、ステップと
を含む、方法。
（項目１８）
上記歯科修復物はインプラントアバットメントであり、すなわち、上記歯科修復モデルは、インプラントアバットメントモデルである、項目１７に記載の方法。
（項目１９）
上記歯科修復物はコーピングであり、すなわち、上記歯科修復モデルは、コーピングモデルである、項目１７に記載の方法。
（項目２０）
上記歯科修復物は、歯冠であり、すなわち、上記歯科修復モデルは、歯冠モデルである、項目１７に記載の方法。
（項目２１）
制御点は、上記制御点から１０画素の距離内などの該制御点の近くにマウスカーソルを移動させることによって作動される、項目１７〜２０のうちのいずれかに記載の方法。
（項目２２）
制御点の矢印または制御点のグリッドは、該制御点が作動されるときにのみ表示される、項目１７〜２１のうちのいずれかに記載の方法。
（項目２３）
矢印の長さまたはグリッドの大きさは、マウススクロールホイールを用いて調整されるなどの制御点が作動されるときにユーザによって調整され得る、項目１７〜２２のうちのいずれかに記載の方法。
（項目２４）
少なくとも１つの制御点の機能性は、可変である、項目１７〜２３のうちのいずれかに記載の方法。
（項目２５）
少なくとも１つの制御点の機能性は、上記制御点が作動されるときに、ユーザによって変更され得る、項目１７〜２４のうちのいずれかに記載の方法。
（項目２６）
少なくとも１つの制御点の機能性は、制御点が作動されるときに、マウスボタン上のクイッククリックによって変更され得、クイッククリックは、６００ミリ秒以内等、５００ミリ秒以内等、４００ミリ秒以内等、３００ミリ秒以内内等、２００ミリ秒以内等、１００ミリ秒以内等、５０ミリ秒以内等の、８００ミリ秒以内に実行されるマウスボタンクリック等の、マウスボタンの単一作動である、項目１７〜２５のうちのいずれかに記載の方法。
（項目２７）
少なくとも１つの制御点の機能性は、上記歯科修復モデルの配向に依存している、項目１７〜２６のうちのいずれかに記載の方法。
（項目２８）
上記歯科モデルの少なくとも一部の視認は、配向依存性である、項目１７〜２７のうちのいずれかに記載の方法。
（項目２９）
上記歯科モデルの少なくとも一部は、該歯科モデルの該一部が上記ユーザと上記歯科修復モデルとの間にあるときに不可視であって、該歯科修復モデルは、該ユーザにとって視認可能およびアクセス可能である、項目１７〜２８のうちのいずれかに記載の方法。
（項目３０）
上記制御点は、上記（マウス）カーソルが上記歯科修復モデルから１０画素の距離以内にあるときにのみ可視的である、項目１７〜２９のうちのいずれかに記載の方法。
（項目３１）
少なくとも２つの歯科修復モデルは、同時に示され、上記（マウス）カーソルに最も近い上記歯科修復モデルの上記制御点のみが、可視的である、項目１７〜３０のうちのいずれかに記載の方法。
（項目３２）
上記歯科モデルの透明度は、上記マウスカーソルが咬合モデル表面の下の制御点に近いときに増大させられ、上記制御点および上記歯科修復モデルは、該歯科モデルを通して見ることができる、項目１７〜３１のうちのいずれかに記載の方法。
（項目３３）
コンピュータ読み取り可能媒体を有するコンピュータプログラム製品であって、該コンピュータプログラム製品は、少なくとも１つの歯科修復物を設計するためのシステムを提供し、該コンピュータプログラム製品は、項目１７〜３２のうちのいずれかに記載の方法のステップを実行するための手段を備える、コンピュータプログラム製品。